(57)【要約】      （修正有）【課題】タービンケーシング内に円周方向に配置された複数のリングセグメントを一度に一律に動かして複数のタービンブレードのチップ間隙を一律に制御する。【解決手段】燃焼ガスの流動を案内するタービンケーシングと、タービンケーシングの外側に回転可能に装着されるアクチュエータリングと、タービンケーシングの内部に回転可能に装着される複数のタービンブレードと、複数のタービンブレードの先端部を取り囲み、その先端部と所定の間隙を有するように設けられる複数のリングセグメントと、一端部が複数のリングセグメントに連結され、他端部がタービンケーシングの外部まで半径方向に延びる複数の回転軸と、アクチュエータリングの円周方向の回転運動により回転軸を回転させるリンク部材と、回転軸の内側端部に備えられて、複数の回転軸の回転により複数のリングセグメントを半径方向内側に動かすプッシャ部材とを含む。【選択図】図６
2022003252.tif 000002
【特許請求の範囲】
【請求項１】
燃焼ガスの流動を案内するタービンケーシングと、
前記タービンケーシングの外側に回転可能に装着されるアクチュエータリングと、
前記タービンケーシングの内部に回転可能に装着される複数のタービンブレードと、
前記複数のタービンブレードの先端部を取り囲み、その先端部と所定の間隙を有するように設けられる複数のリングセグメントと、
一端部が前記複数のリングセグメントに連結され、他端部が前記タービンケーシングの外部まで半径方向に延びる複数の回転軸と、
前記アクチュエータリングの円周方向の回転運動により前記複数の回転軸を回転させるリンク部材と、
前記複数の回転軸の内側端部に備えられて、前記複数の回転軸の回転により前記複数のリングセグメントを半径方向内側に動かすプッシャ部材とを含むタービンブレードチップ間隙制御装置。
【請求項２】
前記アクチュエータリングは、前記タービンケーシングの外側に設けられたアクチュエータによって所定の角度範囲で正逆回転する請求項１に記載のタービンブレードチップ間隙制御装置。
【請求項３】
前記リンク部材は、前記アクチュエータリングと前記複数の回転軸の外側端との間に前記複数の回転軸およびアクチュエータリングから偏心するように連結される請求項１または２に記載のタービンブレードチップ間隙制御装置。
【請求項４】
前記複数の回転軸の外側端には、前記複数の回転軸と共に回転するように結合され、前記複数の回転軸に垂直な方向に延びて端部に前記リンク部材が回転可能に連結される偏心部材を備える請求項１〜３のいずれか１項に記載のタービンブレードチップ間隙制御装置。
【請求項５】
前記複数のリングセグメントの外側に装着され、前記プッシャ部材が通過するように設けられるベアリングブラケットと、
前記ベアリングブラケットの中心に前記プッシャ部材が通過するように装着されて、前記プッシャ部材が回転すると、前記プッシャ部材を半径方向に移動させるスクリューブッシュとをさらに含む請求項１〜４のいずれか一項に記載のタービンブレードチップ間隙制御装置。
【請求項６】
前記複数の回転軸の下端部は、前記プッシャ部材の上部内側に挿入され、前記プッシャ部材は、前記複数の回転軸に対して軸方向に移動可能でかつ、前記複数の回転軸に対して相対的に回転不能に連結されて、前記複数の回転軸と共に回転する請求項５に記載のタービンブレードチップ間隙制御装置。
【請求項７】
前記スクリューブッシュは、中央部の貫通孔周囲の下面に形成されたスクリューカム部を含み、
前記プッシャ部材は、外周面に前記スクリューカム部とスライディング可能に結合するスクリューリブ部を含む請求項５または６に記載のタービンブレードチップ間隙制御装置。
【請求項８】
前記ベアリングブラケットの両側と前記複数のリングセグメントとの間に装着されて、収縮する復元力により前記複数のリングセグメントを半径方向外側に引いて間隙を所定値以上に維持する一対の弾性復元装置をさらに含む請求項５〜７のいずれか一項に記載のタービンブレードチップ間隙制御装置。
【請求項９】
前記一対の弾性復元装置は、一端が前記複数のリングセグメントに結合され、他端が前記ベアリングブラケットに結合される装着軸と、前記ベアリングブラケットに結合部材によって固定され、前記装着軸の通過する貫通孔が形成されたスプリング装着部材と、一端が前記複数のリングセグメントに結合され、他端が前記スプリング装着部材に結合され、前記装着軸の周囲に配置されるスプリングとを含む請求項８に記載のタービンブレードチップ間隙制御装置。
【請求項１０】
前記タービンケーシングの外周面に装着されて、前記アクチュエータリングの内周面を支持する複数のローラベアリングをさらに含む請求項１〜９のいずれか一項に記載のタービンブレードチップ間隙制御装置。
【請求項１１】
前記複数のリングセグメントは、円周方向に沿って配列される８つのセグメント部材にそれぞれ４〜６つのリングセグメントが装着され、
前記プッシャ部材は、各セグメント部材に結合される請求項１〜１０のいずれか一項に記載のタービンブレードチップ間隙制御装置。
【請求項１２】
前記８つのセグメント部材のうち、２つのセグメント部材の円周方向側面の間に装着されて、ガス漏れを防止するシールプレートと、
前記２つのセグメント部材の円周方向側面の間にまたがるように装着されて、２つのセグメント部材が半径方向に同時に動くようにするポジショニングピンと、をさらに含む請求項１１に記載のタービンブレードチップ間隙制御装置。
【請求項１３】
外部空気を吸入して圧縮する圧縮機と、
前記圧縮機で圧縮された空気に燃料を混合して燃焼させる燃焼器と、
タービンケーシングの内部にタービンブレードが装着され、前記燃焼器から排出される燃焼ガスによって前記タービンブレードが回転するタービンと、
前記タービンケーシングと前記タービンブレードとの間に形成されるチップ間隙を制御するチップ間隙制御装置とを含み、
前記チップ間隙制御装置は、
燃焼ガスの流動を案内するタービンケーシングと、
前記タービンケーシングの外側に回転可能に装着されるアクチュエータリングと、
前記タービンケーシングの内部に回転可能に装着される複数のタービンブレードと、
前記複数のタービンブレードの先端部を取り囲み、その先端部と所定の間隙を有するように設けられる複数のリングセグメントと、
一端部が前記複数のリングセグメントに連結され、他端部が前記タービンケーシングの外部まで半径方向に延びる複数の回転軸と、
前記アクチュエータリングの円周方向の回転運動により前記複数の回転軸を回転させるリンク部材と、
前記複数の回転軸の内側端部に備えられて、前記複数の回転軸の回転により前記複数のリングセグメントを半径方向内側に動かすプッシャ部材とを含むガスタービン。
【請求項１４】
前記アクチュエータリングは、前記タービンケーシングの外側に設けられたアクチュエータによって所定の角度範囲で正逆回転する請求項１３に記載のガスタービン。
【請求項１５】
前記リンク部材は、前記アクチュエータリングと前記複数の回転軸の外側端との間に前記複数の回転軸およびアクチュエータリングから偏心するように連結される請求項１３または１４に記載のガスタービン。
【請求項１６】
前記複数の回転軸の外側端には、前記複数の回転軸と共に回転するように結合され、前記複数の回転軸に垂直な方向に延びて端部に前記リンク部材が回転可能に連結される偏心部材を備える請求項１３〜１５のいずれか一項に記載のガスタービン。
【請求項１７】
前記複数のリングセグメントの外側に装着され、前記プッシャ部材が通過するように設けられるベアリングブラケットと、
前記ベアリングブラケットの中心に前記プッシャ部材が通過するように装着されて、前記プッシャ部材が回転すると、前記プッシャ部材を半径方向に移動させるスクリューブッシュとをさらに含む請求項１３〜１６のいずれか一項に記載のガスタービン。
【請求項１８】
前記複数の回転軸の下端部は、前記プッシャ部材の上部内側に挿入され、前記プッシャ部材は、前記複数の回転軸に対して軸方向に移動可能でかつ、前記複数の回転軸に対して相対的に回転不能に連結されて、前記複数の回転軸と共に回転する請求項１７に記載のガスタービン。
【請求項１９】
前記スクリューブッシュは、中央部の貫通孔周囲の下面に形成されたスクリューカム部を含み、
前記プッシャ部材は、外周面に前記スクリューカム部とスライディング可能に結合するスクリューリブ部とを含む請求項１７または１８に記載のガスタービン。
【請求項２０】
前記ベアリングブラケットの両側と前記複数のリングセグメントとの間に装着されて、収縮する復元力により前記複数のリングセグメントを半径方向外側に引いて間隙を所定値以上に維持する一対の弾性復元装置をさらに含む請求項１７〜１９のいずれか一項に記載のガスタービン。
【請求項２１】
前記一対の弾性復元装置は、一端が前記複数のリングセグメントに結合され、他端が前記ベアリングブラケットに結合される装着軸と、前記ベアリングブラケットに結合部材によって固定され、前記装着軸の通過する貫通孔が形成されたスプリング装着部材と、一端が前記複数のリングセグメントに結合され、他端が前記スプリング装着部材に結合され、前記装着軸の周囲に配置されるスプリングとを含む請求項２０に記載のガスタービン。
【請求項２２】
前記タービンケーシングの外周面に装着されて、前記アクチュエータリングの内周面を支持する複数のローラベアリングをさらに含む請求項１３〜２１のいずれか一項に記載のガスタービン。
【請求項２３】
前記複数のリングセグメントは、円周方向に沿って配列される８つのセグメント部材にそれぞれ４〜６つのリングセグメントが装着され、
前記プッシャ部材は、各セグメント部材に結合される請求項１３〜２２のいずれか一項に記載のガスタービン。
【請求項２４】
前記８つのセグメント部材のうち、２つのセグメント部材の円周方向側面の間に装着されて、ガス漏れを防止するシールプレートと、
前記２つのセグメント部材の円周方向側面の間にまたがるように装着されて、２つのセグメント部材が半径方向に同時に動くようにするポジショニングピンとをさらに含む請求項２３に記載のガスタービン。
【発明の詳細な説明】
【技術分野】
【０００１】
本発明は、タービンブレードチップ間隙制御装置およびこれを含むガスタービンに関する。
【背景技術】
【０００２】
タービンとは、蒸気、ガスのような圧縮性流体の流れを利用して衝動力または反動力で回転力を得る機械装置であり、蒸気を用いる蒸気タービンおよび高温の燃焼ガスを用いるガスタービンなどがある。
【０００３】
このうち、ガスタービンは、大きく、圧縮機と、燃焼器と、タービンとから構成される。圧縮機は、空気を導入する空気導入口が具備され、圧縮機ハウジング内に複数の圧縮機ベーンと、圧縮機ブレードとが交互に配置されている。
【０００４】
燃焼器は、圧縮機で圧縮された圧縮空気に対して燃料を供給し、バーナで点火することにより高温高圧の燃焼ガスが生成される。
【０００５】
タービンは、タービンハウジング内に複数のタービンベーンと、タービンブレードとが交互に配置されている。また、圧縮機と燃焼器とタービンおよび排気室の中心部を貫通するようにロータが配置されている。
【０００６】
ロータは、両端部がベアリングによって回転自在に支持される。そして、ロータに複数のディスクが固定されて、それぞれのブレードが連結されると同時に、排気室側の端部に発電機などの駆動軸が連結される。
【０００７】
このようなガスタービンは４行程機関のピストンのような往復運動機構がないため、ピストン−シリンダのような相互摩擦部分がなくて潤滑油の消費が極めて少なく、往復運動機械の特徴である振幅が大幅に減少し、高速運動が可能であるという利点がある。
【０００８】
ガスタービンの作動について簡略に説明すれば、圧縮機で圧縮された空気が燃料と混合されて燃焼されることにより高温の燃焼ガスが作られ、このように作られた燃焼ガスはタービン側に噴射される。噴射された燃焼ガスがタービンベーンおよびタービンブレードを通過しながら回転力を生成し、よって、ロータが回転する。
【０００９】
この時、タービンケーシングとブレードとの間にはチップクリアランス（Ｔｉｐ  ｃｌｅａｒａｎｃｅ）で定義される間隔が形成される。チップクリアランスが適正水準以上に大きくなると、仕事をせずにタービンケーシングとブレードとの間に抜け出る燃焼ガスの量が増加してガスタービン全体の効率が減少する。逆に、チップクリアランスが適正水準以下に小さくなると、タービンケーシングの内壁をブレードが掻いてしまう問題が発生する。したがって、タービンのチップクリアランスを適正な水準で調節することは、ガスタービンの性能を向上させることと密接な関連がある。
【先行技術文献】
【特許文献】
【００１０】
【特許文献１】大韓民国登録特許公報第１０−１９５７５９０号
【発明の概要】
【発明が解決しようとする課題】
【００１１】
本発明は、タービンケーシングの外部に設けられたアクチュエータリングを回転させることにより、タービンケーシング内に円周方向に配置された複数のリングセグメントを一度に一律に動かして複数のタービンブレードのチップ間隙を一律に制御できるタービンブレードチップ間隙制御装置およびこれを含むガスタービンを提供することを目的とする。
【課題を解決するための手段】
【００１２】
上記の目的を達成するための、本発明のタービンブレードチップ間隙制御装置は、燃焼ガスの流動を案内するタービンケーシングと、前記タービンケーシングの外側に回転可能に装着されるアクチュエータリングと、前記タービンケーシングの内部に回転可能に装着される複数のタービンブレードと、前記複数のタービンブレードの先端部を取り囲み、その先端部と所定の間隙を有するように設けられる複数のリングセグメントと、一端部が前記複数のリングセグメントに連結され、他端部が前記タービンケーシングの外部まで半径方向に延びる複数の回転軸と、前記アクチュエータリングの円周方向の回転運動により前記回転軸を回転させるリンク部材と、前記回転軸の内側端部に備えられて、前記回転軸の回転により前記リングセグメントを半径方向内側に動かすプッシャ部材とを含む。
【００１３】
前記アクチュエータリングは、前記タービンケーシングの外側に設けられたアクチュエータによって所定の角度範囲で正逆回転できる。
【００１４】
前記リンク部材は、前記アクチュエータリングと前記複数の回転軸の外側端との間に前記回転軸およびアクチュエータリングから偏心するように連結可能である。
【００１５】
前記回転軸の外側端には、前記回転軸と共に回転するように結合され、前記回転軸に垂直な方向に延びて端部に前記リンク部材が回転可能に連結される偏心部材を備えることができる。
【００１６】
前記リングセグメントの外側に装着され、前記プッシャ部材が通過するように設けられるベアリングブラケットと、前記ベアリングブラケットの中心に前記プッシャ部材が通過するように装着されて、前記プッシャ部材が回転すると、前記プッシャ部材を半径方向に移動させるスクリューブッシュとをさらに含むことができる。
【００１７】
前記回転軸の下端部は、前記プッシャ部材の上部内側に挿入され、前記プッシャ部材は、前記回転軸に対して軸方向に移動可能でかつ、前記回転軸に対して相対的に回転不能に連結されて、前記回転軸と共に回転できる。
【００１８】
前記スクリューブッシュは、中央部の貫通孔周囲の下面に形成されたスクリューカム部を含み、前記プッシャ部材は、外周面に前記スクリューカム部とスライディング可能に結合するスクリューリブ部を含むことができる。
【００１９】
前記ベアリングブラケットの両側と前記リングセグメントとの間に装着されて、収縮する復元力により前記リングセグメントを半径方向外側に引いて間隙を所定値以上に維持する一対の弾性復元装置をさらに含むことができる。
【００２０】
前記弾性復元装置は、一端が前記リングセグメントに結合され、他端が前記ベアリングブラケットに結合される装着軸と、前記ベアリングブラケットに結合部材によって固定され、前記装着軸の通過する貫通孔が形成されたスプリング装着部材と、一端が前記リングセグメントに結合され、他端が前記スプリング装着部材に結合され、前記装着軸の周囲に配置されるスプリングとを含むことができる。
【００２１】
前記タービンケーシングの外周面に装着されて、前記アクチュエータリングの内周面を支持する複数のローラベアリングをさらに含むことができる。
【００２２】
前記複数のリングセグメントは、円周方向に沿って配列される８つのセグメント部材にそれぞれ４〜６つのリングセグメントが装着され、前記プッシャ部材は、各セグメント部材に結合される。
【００２３】
前記８つのセグメント部材のうち、２つのセグメント部材の円周方向側面の間に装着されて、ガス漏れを防止するシールプレートと、前記２つのセグメント部材の円周方向側面の間にまたがるように装着されて、２つのセグメント部材が半径方向に同時に動くようにするポジショニングピンとをさらに含むことができる。
【００２４】
本発明のガスタービンは、外部空気を吸入して圧縮する圧縮機と、前記圧縮機で圧縮された空気に燃料を混合して燃焼させる燃焼器と、タービンケーシングの内部にタービンブレードが装着され、前記燃焼器から排出される燃焼ガスによって前記タービンブレードが回転するタービンと、前記タービンケーシングと前記タービンブレードとの間に形成されるチップ間隙を制御するチップ間隙制御装置とを含み、前記チップ間隙制御装置は、燃焼ガスの流動を案内するタービンケーシングと、前記タービンケーシングの外側に回転可能に装着されるアクチュエータリングと、前記タービンケーシングの内部に回転可能に装着される複数のタービンブレードと、前記複数のタービンブレードの先端部を取り囲み、その先端部と所定の間隙を有するように設けられる複数のリングセグメントと、一端部が前記複数のリングセグメントに連結され、他端部が前記タービンケーシングの外部まで半径方向に延びる複数の回転軸と、前記アクチュエータリングの円周方向の回転運動により前記回転軸を回転させるリンク部材と、前記回転軸の内側端部に備えられて、前記回転軸の回転により前記リングセグメントを半径方向内側に動かすプッシャ部材とを含む。
【００２５】
前記アクチュエータリングは、前記タービンケーシングの外側に設けられたアクチュエータによって所定の角度範囲で正逆回転できる。
【００２６】
前記リンク部材は、前記アクチュエータリングと前記複数の回転軸の外側端との間に前記回転軸およびアクチュエータリングから偏心するように連結可能である。
【００２７】
前記回転軸の外側端には、前記回転軸と共に回転するように結合され、前記回転軸に垂直な方向に延びて端部に前記リンク部材が回転可能に連結される偏心部材を備えることができる。
【００２８】
前記リングセグメントの外側に装着され、前記プッシャ部材が通過するように設けられるベアリングブラケットと、前記ベアリングブラケットの中心に前記プッシャ部材が通過するように装着されて、前記プッシャ部材が回転すると、前記プッシャ部材を半径方向に移動させるスクリューブッシュとをさらに含むことができる。
【００２９】
前記回転軸の下端部は、前記プッシャ部材の上部内側に挿入され、前記プッシャ部材は、前記回転軸に対して軸方向に移動可能でかつ、前記回転軸に対して相対的に回転不能に連結されて、前記回転軸と共に回転できる。
【００３０】
前記スクリューブッシュは、中央部の貫通孔周囲の下面に形成されたスクリューカム部を含み、前記プッシャ部材は、外周面に前記スクリューカム部とスライディング可能に結合するスクリューリブ部を含むことができる。
【００３１】
前記ベアリングブラケットの両側と前記リングセグメントとの間に装着されて、収縮する復元力により前記リングセグメントを半径方向外側に引いて間隙を所定値以上に維持する一対の弾性復元装置をさらに含むことができる。
【００３２】
前記弾性復元装置は、一端が前記リングセグメントに結合され、他端が前記ベアリングブラケットに結合される装着軸と、前記ベアリングブラケットに結合部材によって固定され、前記装着軸の通過する貫通孔が形成されたスプリング装着部材と、一端が前記リングセグメントに結合され、他端が前記スプリング装着部材に結合され、前記装着軸の周囲に配置されるスプリングとを含むことができる。
【００３３】
前記タービンケーシングの外周面に装着されて、前記アクチュエータリングの内周面を支持する複数のローラベアリングをさらに含むことができる。
【００３４】
前記複数のリングセグメントは、円周方向に沿って配列される８つのセグメント部材にそれぞれ４〜６つのリングセグメントが装着され、前記プッシャ部材は、各セグメント部材に結合される。
【００３５】
前記８つのセグメント部材のうち、２つのセグメント部材の円周方向側面の間に装着されて、ガス漏れを防止するシールプレートと、前記２つのセグメント部材の円周方向側面の間にまたがるように装着されて、２つのセグメント部材が半径方向に同時に動くようにするポジショニングピンとをさらに含むことができる。
【発明の効果】
【００３６】
上記の本発明のタービンブレードチップ間隙制御装置およびこれを含むガスタービンによれば、タービンケーシングの外部に設けられたアクチュエータリングを回転させることにより、タービンケーシング内に円周方向に配置された複数のリングセグメントを一度に一律に動かして複数のタービンブレードのチップ間隙を一律に制御することができる。
【図面の簡単な説明】
【００３７】
【図１】本発明の一実施形態に係るガスタービンの一部切開斜視図である。
【図２】本発明の一実施形態に係るガスタービンの概略的な構造を示す断面図である。
【図３】本発明の一実施形態に係るガスタービンの内部構造を示す一部断面図である。
【図４】本発明の一実施形態に係るタービンブレードチップ間隙制御装置の外観を示す斜視図である。
【図５】図４における１つのリンク部材の周囲を拡大して示す斜視図である。
【図６】図４における複数の回転軸を通る平面断面図である。
【図７】図６におけるリンク部材から複数のリングセグメントまでの周囲を拡大して示す斜視図である。
【図８】セグメント部材に複数のリングセグメントが結合されたことを示す斜視図である。
【図９】図８における左側面部位を拡大して示す斜視図である。
【図１０】２つのセグメント部材が接する部位を示す斜視図である。
【発明を実施するための形態】
【００３８】
本発明は多様な変換が加えられて様々な実施例を有し得ることから、特定の実施例を例示して詳細な説明に詳しく説明する。しかし、これは本発明を特定の実施形態に対して限定しようとするものではなく、本発明の思想および技術範囲に含まれるあらゆる変換、均等物または代替物を含むことが理解されなければならない。
【００３９】
本発明で使った用語は単に特定の実施例を説明するために使われたものであり、本発明を限定しようとする意図ではない。単数の表現は、文脈上明らかに異なって意味しない限り、複数の表現を含む。本発明において、「含む」または「有する」などの用語は、明細書上に記載された特徴、数字、段階、動作、構成要素、部品またはこれらを組み合わせたものが存在することを指定しようとするものであって、１つまたはそれ以上の他の特徴や数字、段階、動作、構成要素、部品またはこれらを組み合わせたものの存在または付加の可能性を予め排除しないことが理解されなければならない。
【００４０】
以下、添付した図面を参照して、本発明の望ましい実施例を詳しく説明する。この時、添付した図面において同一の構成要素は、できる限り同一の符号で表していることに留意する。また、本発明の要旨をあいまいにしうる公知の機能および構成に関する詳細な説明は省略する。同様の理由から、添付図面において一部の構成要素は誇張または省略されるか、概略的に示された。
【００４１】
図１は、本発明の一実施形態に係るガスタービンの一部切開斜視図であり、図２は、本発明の一実施形態に係るガスタービンの概略的な構造を示す断面図であり、図３は、本発明の一実施形態に係るガスタービンの内部構造を示す一部断面図である。
【００４２】
図１に示されるように、本発明の一実施形態に係るガスタービン１０００は、圧縮機１１００と、燃焼器１２００と、タービン１３００とを含む。圧縮機１１００は、放射状に設けられた複数のブレード１１１０を備える。圧縮機１１００は、ブレード１１１０を回転させ、ブレード１１１０の回転により空気が圧縮されながら移動する。ブレード１１１０の大きさおよび設置角度は、設置位置によって異なる。一実施形態において、圧縮機１１００は、タービン１３００と直接または間接的に連結されて、タービン１３００から発生する動力の一部が伝達されてブレード１１１０の回転に利用可能である。
【００４３】
圧縮機１１００で圧縮された空気は燃焼器１２００に移動する。燃焼器１２００は、環状に配置される複数の燃焼チャンバ１２１０と、燃料ノズルモジュール１２２０とを含む。
【００４４】
図２に示されるように、本発明の一実施形態に係るガスタービン１０００は、ハウジング１０１０を備えており、ハウジング１０１０の後側には、タービンを通過した燃焼ガスが排出されるディフューザ１４００が備えられている。そして、ディフューザ１４００の前方に圧縮された空気を受けて燃焼させる燃焼器１２００が配置される。
【００４５】
空気の流れ方向を基準として説明すれば、ハウジング１０１０の上流側に圧縮機セクション１１００が位置し、下流側にタービンセクション１３００が配置される。そして、圧縮機セクション１１００とタービンセクション１３００との間には、タービンセクション１３００で発生した回転トルクを圧縮機セクション１１００に伝達するトルク伝達部材としてのトルクチューブユニット１５００が配置されている。
【００４６】
圧縮機セクション１１００には、複数（例えば、１４枚）の圧縮機ロータディスク１１２０が備えられ、それぞれの圧縮機ロータディスク１１２０は、タイロッド１６００によって軸方向に離隔しないように締結されている。
【００４７】
具体的には、それぞれの圧縮機ロータディスク１１２０は、回転軸を構成するタイロッド１６００が略中央を貫通した状態で互いに軸方向に沿って整列されている。ここで、隣り合うそれぞれの圧縮機ロータディスク１１２０は、対向する面がタイロッド１６００によって圧着されて、相対回転不能に配置される。
【００４８】
圧縮機ロータディスク１１２０の外周面には、複数のブレード１１１０が放射状に結合されている。それぞれのブレード１１１０は、ダブテール部１１１２を備えて、圧縮機ロータディスク１１２０に締結される。
【００４９】
それぞれのロータディスク１１２０の間には、ハウジングに固定されて配置されるベーン（図示せず）が位置する。ベーンは、ロータディスクとは異なって回転しないように固定され、圧縮機ロータディスクのブレードを通過した圧縮空気の流れを整列して下流側に位置するロータディスクのブレードに空気を案内する役割を果たす。
【００５０】
ダブテール部１１１２の締結方式は、タンジェンシャルタイプ（ｔａｎｇｅｎｔｉａｌ  ｔｙｐｅ）とアキシャルタイプ（ａｘｉａｌ  ｔｙｐｅ）とがある。これは、商用のガスタービンの必要構造によって選択可能であり、通常知られたダブテールまたはモミの木形態（Ｆｉｒ−ｔｒｅｅ）を有することができる。場合によっては、前記形態以外の他の締結装置、例えば、キーまたはボルトなどの固定具を用いてブレードをロータディスクに締結することができる。
【００５１】
タイロッド１６００は、複数の圧縮機ロータディスク１１２０およびタービンロータディスク１３２２の中心部を貫通するように配置されており、タイロッド１６００は、１つまたは複数のタイロッドから構成される。タイロッド１６００の一側端部は、最上流側に位置した圧縮機ロータディスク内に締結され、タイロッド１６００の他側端部は、固定ナット１４５０によって締結される。
【００５２】
タイロッド１６００の形態は、ガスタービンによって多様な構造からなり得るので、必ずしも図２に示された形態に限定されるものではない。すなわち、図示のように、１つのタイロッドがロータディスクの中央部を貫通する形態を有してもよく、複数のタイロッドが円周上に配置される形態を有してもよいし、これらの混用も可能である。
【００５３】
図示しないが、ガスタービンの圧縮機には、流体の圧力を高めた後、燃焼器の入口に入る流体の流動角を設計流動角に合わせるために、ディフューザ（ｄｉｆｆｕｓｅｒ）の次の位置に案内羽根の役割を果たすベーンが設けられ、これをデスワーラ（ｄｅｓｗｉｒｌｅｒ）という。
【００５４】
燃焼器１２００では、流入した圧縮空気を燃料と混合、燃焼させて高いエネルギーの高温、高圧燃焼ガスを作り出し、等圧燃焼過程で燃焼器およびタービン部品が耐えられる耐熱限度まで燃焼ガスの温度を高める。
【００５５】
ガスタービンの燃焼システムを構成する燃焼器は、セル形態に形成されるハウジング内に複数配列可能であり、燃料噴射ノズルなどを含むバーナ（Ｂｕｒｎｅｒ）と、燃焼室を形成する燃焼器ライナ（Ｃｏｍｂｕｓｔｅｒ  Ｌｉｎｅｒ）と、燃焼器とタービンとの連結部となるトランジションピース（Ｔｒａｎｓｉｔｉｏｎ  Ｐｉｅｃｅ）とを含んで構成される。
【００５６】
具体的には、ライナは、燃料ノズルによって噴射される燃料が圧縮機の圧縮空気と混合されて燃焼される燃焼空間を提供する。このようなライナは、空気と混合された燃料が燃焼される燃焼空間を提供する火炎筒と、火炎筒を取り囲みながら環状空間を形成するフロースリーブとを含むことができる。また、ライナの前端には燃料ノズルが結合され、側壁には点火プラグが結合される。
【００５７】
一方、ライナの後端には、点火プラグによって燃焼される燃焼ガスをタービン側に送れるようにトランジションピースが連結される。このようなトランジションピースは、燃焼ガスの高い温度による破損が防止されるように、外壁部が圧縮機から供給される圧縮空気によって冷却される。
【００５８】
このために、トランジションピースには、空気を内部に噴射させることができるように冷却のためのホールが設けられ、圧縮空気は、ホールを通して内部にある本体を冷却させた後、ライナ側に流動する。
【００５９】
ライナの環状空間には、前述したトランジションピースを冷却させた冷却空気が流動し、ライナの外壁には、フロースリーブの外部から圧縮空気がフロースリーブに設けられる冷却ホールを通して冷却空気として提供されて衝突できる。
【００６０】
一方、燃焼器から出た高温、高圧の燃焼ガスは上述したタービン１３００に供給される。供給された高温高圧の燃焼ガスが膨張しながらタービンの回転翼に衝突して、反動力を与えて回転トルクがもたらされ、このように得られた回転トルクは上述したトルクチューブを経て圧縮機に伝達され、圧縮機の駆動に必要な動力を超える動力は発電機などを駆動するのに使用される。
【００６１】
タービン１３００は、基本的には圧縮機の構造と類似している。すなわち、タービン１３００にも、圧縮機１１００のロータと類似のタービンロータ１３２０が備えられる。したがって、タービンロータ１３２０は、タービンロータディスク１３２２と、これから放射状に配置される複数のタービンブレード１３２４とを含む。タービンブレード１３２４も、ダブテールなどの方式でタービンロータディスク１３２２に結合できる。
【００６２】
同時に、タービンロータディスク１３２２のタービンブレード１３２４の間にも、タービンケーシング１３１２に固定される複数のタービンベーン１３１４が備えられて、タービンブレード１３２４を通過した燃焼ガスの流れ方向をガイドする。この時、固定体に相当するタービンケーシング１３１２とタービンベーン１３１４も、回転体に相当するタービンロータ１３２０と区分するために、タービンステータ１３１０という包括的な名称で定義できる。
【００６３】
タービンベーン１３１４の内側端部と外側端部に結合されたエンドウォール（ｅｎｄｗａｌｌ）であるベーンキャリア１３１３によって、タービンベーン１３１４は、ハウジング内に固定的に装着される。これに対し、ハウジングの内側に回転するタービンブレード１３２４の外側端部と向かい合う位置には、リングセグメント１１０がタービンブレード１３２４の外側端部と所定の間隙を形成するように装着される。すなわち、リングセグメント１１０とタービンブレード１３２４の外側端部との間の間隙がチップクリアランス（Ｔｉｐ  ｃｌｅａｒａｎｃｅ）を形成する。
【００６４】
図４は、本発明の一実施形態に係るタービンブレードチップ間隙制御装置の外観を示す斜視図であり、図５は、図４における１つのリンク部材の周囲を拡大して示す斜視図であり、図６は、図４における複数の回転軸を通る平面断面図であり、図７は、図６におけるリンク部材から複数のリングセグメントまでの周囲を拡大して示す斜視図である。
【００６５】
本発明の一実施形態に係るタービンブレードチップ間隙制御装置１００は、燃焼ガスの流動を案内するタービンケーシングと、タービンケーシングの外側に回転可能に装着されるアクチュエータリング１３０と、タービンケーシングの内部に回転可能に装着される複数のタービンブレード１３２４と、複数のタービンブレードの先端部を取り囲み、その先端部と所定の間隙を有するように設けられる複数のリングセグメント１１０と、一端部が複数のリングセグメントに連結され、他端部がタービンケーシングの外部まで半径方向に延びる複数の回転軸１６０と、アクチュエータリングの円周方向の回転運動により回転軸を回転させるリンク部材１５０と、回転軸の内側端部に備えられて、回転軸の回転によりリングセグメントを半径方向内側に動かすプッシャ部材１７０とを含む。
【００６６】
図４は、１セットのリングセグメントを取り囲むタービンケーシングを概略的に示すものであって、このタービンケーシングは、図２におけるタービンケーシング１３１２を取り囲むタービンセクション１３００の外部ケーシング部分であってもよい。タービンケーシングは、一対の支持ブラケットに結合されて支持できる。
【００６７】
アクチュエータリング１３０は、タービンケーシングの外側に回転可能に装着される。アクチュエータリング１３０は、タービンケーシングの外周面に装着されて、アクチュエータリングの内周面を支持する複数のローラベアリング１３５に支持できる。アクチュエータリング１３０の内周面には、複数のローラベアリング１３５のローラの一部が挿入されて支持される溝が形成される。図６に示されるように、複数のローラベアリング１３５は、タービンケーシングの上半部に３つ、下半部に３つが所定の間隔で配置できる。
【００６８】
図６および図７に示されるように、複数のリングセグメント１１０は、複数個が１つのセグメント部材１２０に装着できる。好ましい実施例において、セグメント部材１２０は、円周方向に８つ設けられ、各セグメント部材１２０にそれぞれ４〜６つのリングセグメント１１０が装着される。
【００６９】
複数の回転軸１６０は、一端部が複数のリングセグメント１１０に連結され、他端部がタービンケーシングの外部まで半径方向に延びることができる。具体的には、回転軸１６０の外側端部は、リンク部材１５０を介してアクチュエータリング１３０と連結され、回転軸１６０の内側端部は、プッシャ部材１７０に結合され、プッシャ部材１７０がセグメント部材１２０に結合されて、セグメント部材１２０に結合された複数のリングセグメント１１０に連結可能である。
【００７０】
図５に示されるように、リンク部材１５０は、アクチュエータリング１３０と回転軸１６０との間に回転可能に連結されて、アクチュエータリング１３０の円周方向の回転運動により回転軸１６０を回転させることができる。
【００７１】
図７に示されるように、プッシャ部材１７０は、回転軸１６０の内側端部に備えられて、回転軸１６０の回転によりリングセグメント１１０を半径方向内側に動かすことができる。リングセグメント１１０が半径方向内側に動くと、タービンブレードのチップ間隙が減少できる。
【００７２】
図４に示されるように、アクチュエータリング１３０は、タービンケーシングの外側に設けられたアクチュエータ１４０によって所定の角度範囲で正逆回転できる。アクチュエータ１４０は、タービンケーシングを支持する一対の支持ブラケットの一側に固定されるブラケットに装着できる。アクチュエータ１４０は、電気または油圧モータによってアクチュエータ棒１４５を直線的に往復運動できるように構成される。アクチュエータ棒１４５は、一端がアクチュエータ１４０に回動可能に連結され、他端がアクチュエータリング１３０に回動可能に連結される。そのため、アクチュエータ１４０が作動すれば、アクチュエータ棒１４５がアクチュエータリング１３０の一端部を押してアクチュエータリング１３０を所定の角度回転させることができる。
【００７３】
図５に示されるように、リンク部材１５０は、アクチュエータリング１３０と複数の回転軸１６０の外側端との間に回転軸１６０およびアクチュエータリング１３０から偏心するように連結可能である。このために、回転軸１６０の外側端には、回転軸と共に回転するように結合され、回転軸に垂直な方向に延びて端部にリンク部材１５０が回転可能に連結される偏心部材１５６を備えることができる。
【００７４】
偏心部材１５６の一端は、回転軸１６０の外側端部に相対的に回転しないように結合されて、偏心部材１５６がリンク部材１５０によって回転すると、偏心部材１５６に結合された回転軸１６０が回転できる。
【００７５】
図７に示されるように、回転軸１６０は、全体が１つの部材で形成されず、回転軸の上部が別の部品で形成されて回転軸の下部と結合できる。そのため、偏心部材１５６は、回転軸の上部の上端に結合され、回転軸の上部がタービンケーシングの半径方向外側に結合されるベアリングカバー１６２に回転可能に装着される。
【００７６】
プッシャ部材１７０も、１つの部材で形成されてもよいが、プッシャ部材１７０の半径方向内側端部の外周面に他の部品である連結部材が結合され、連結部材の半径方向内側に結合部材が結合されてもよい。そのため、プッシャ部材１７０の結合部材の内側端部がセグメント部材１２０に結合できる。
【００７７】
図６および図７に示されるように、本発明のチップ間隙制御装置は、リングセグメント１１０の外側に装着され、プッシャ部材１７０が通過するように設けられるベアリングブラケット１８０と、ベアリングブラケットの中心にプッシャ部材１７０が通過するように装着されて、プッシャ部材１７０が回転すると、プッシャ部材１７０を半径方向に移動させるスクリューブッシュ１９０とをさらに含むことができる。
【００７８】
ベアリングブラケット１８０は、回転軸１６０とセグメント部材１２０との間に、後述する一対の弾性復元装置２００によって設けられる。ベアリングブラケット１８０の中心には、回転軸１６０の下端部とプッシャ部材１７０の通過する貫通孔が形成される。
【００７９】
スクリューブッシュ１９０は、中心にプッシャ部材１７０の通過する貫通孔が形成された円形ディスク形態からなり、プッシャ部材１７０の中間外周面に装着できる。
【００８０】
回転軸１６０の下端部は、プッシャ部材１７０の上部内側に挿入され、プッシャ部材１７０は、回転軸１６０に対して軸方向に移動可能でかつ、回転軸１６０に対して相対的に回転不能に連結されて、回転軸１６０と共に回転できる。このために、回転軸１６０の下端部の外周面には、長手方向に複数の溝が形成され、プッシャ部材１７０の上端部の内周面には、回転軸１６０の溝に対応する複数の突出リブが形成される。そのため、回転軸１６０とプッシャ部材１７０は、共に回転しかつ、プッシャ部材１７０は、回転軸１６０に対して軸方向に移動することができる。
【００８１】
スクリューブッシュ１９０は、中央部の貫通孔周囲の下面に形成されたスクリューカム部１９７を含み、プッシャ部材１７０は、外周面にスクリューカム部１９７とスライディング可能に結合するスクリューリブ部１７９を含むことができる。スクリューカム部１９７は、スクリューリブ部１７９に対応して、所定のピッチを有するねじ山形態からなる。そのため、回転軸１６０と共にプッシャ部材１７０が回転すると、プッシャ部材１７０は、スクリューブッシュ１９０によってセグメント部材１２０側に移動して、セグメント部材１２０とこれに結合されたリングセグメント１１０を半径方向内側に移動させることができる。
【００８２】
一方、本発明のチップ間隙制御装置は、ベアリングブラケット１８０の両側とリングセグメント１１０との間に装着されて、収縮する復元力によりリングセグメント１１０を半径方向外側に引いて間隙を所定値以上に維持する一対の弾性復元装置２００をさらに含むことができる。
【００８３】
図７に示されるように、弾性復元装置２００は、一端がリングセグメント１１０に結合され、他端がベアリングブラケット１８０に結合される装着軸２０２と、ベアリングブラケット１８０に結合部材２０４によって固定され、装着軸２０２の通過する貫通孔が形成されたスプリング装着部材２０６と、一端がリングセグメント１１０に結合され、他端がスプリング装着部材２０６に結合され、装着軸２０２の周囲に配置されるスプリング２０８とを含むことができる。
【００８４】
ベアリングブラケット１８０は、回転軸１６０とプッシャ部材１７０の通過する貫通孔が形成されたハブ部と、複数の装着軸２０２が挿入されて装着される複数の貫通孔が形成された翼部とを含むことで、全体的に円形ディスク形態からなる。ハブ部は、翼部に比べてより厚く形成される。
【００８５】
装着軸２０２は、２つ設けられ、一端がリングセグメント１１０にねじ山によって締結されて結合され、他端がベアリングブラケット１８０に挿入されて結合される。装着軸２０２は、その周囲に装着されるスプリング２０８を離脱しないように支持することができる。一対の装着軸２０２は、回転軸１６０およびプッシャ部材１７０と平行に設けられる。
【００８６】
スプリング装着部材２０６は、ベアリングブラケット１８０より小さい円形ディスク形態に形成されかつ、ベアリングブラケット１８０の外側部に形成された貫通孔に挿入されて結合される結合部材２０４の下端部に締結されて固定される。スプリング装着部材２０６の中心には、装着軸２０２の通過する貫通孔が形成され、貫通孔の周囲には、スプリング２０８の上端が結合される結合溝が形成される。
【００８７】
スプリング２０８は、一端がリングセグメント１１０に形成された結合溝に結合され、他端がスプリング装着部材２０６の結合溝に結合され、装着軸２０２の周囲に配置されるばねスプリングであってもよい。アクチュエータリング１３０と回転軸１６０が回転しない状態で、スプリング２０８は、収縮する方向に復元力を作用することにより、セグメント部材１２０および複数のリングセグメント１１０を引いてチップ間隙が所定の間隙以上に維持できるようにする。
【００８８】
図８は、セグメント部材に複数のリングセグメントが結合されたことを示す斜視図であり、図９は、図８における左側面部位を拡大して示す斜視図であり、図１０は、２つのセグメント部材が接する部位を示す斜視図である。
【００８９】
複数のリングセグメント１１０は、円周方向に沿って配列される８つのセグメント部材１２０にそれぞれ４〜６つのリングセグメント１１０が装着され、プッシャ部材１７０は、各セグメント部材１２０に結合される。このために、図８に示されるように、各セグメント部材１２０の外周面には、プッシャ部材１７０の端部が半径方向に移動できるように挿入される穴と、弾性復元装置２００の一対の装着軸２０２が結合される一対の締結孔とが形成される。
【００９０】
図６および図７に示された実施例では、各セグメント部材１２０に４つのリングセグメント１１０が装着されており、図８に示された実施例では、各セグメント部材１２０に６つのリングセグメント１１０が装着されている。セグメント部材１２０が円周上に８つ配置される場合、１つのセグメント部材１２０は、３６０度の円周上で４５度ずつ占めるようになる。８つのセグメント部材１２０が配置されると、上述したリンク部材１５０、回転軸１６０、プッシャ部材１７０、弾性復元装置２００などもそれぞれ８つずつ配置される。
【００９１】
そして、図８〜図１０に示されるように、複数のセグメント部材１２０は、８つのセグメント部材１２０のうち、２つのセグメント部材１２０の円周方向側面の間に装着されて、ガス漏れを防止するシールプレート２１０と、２つのセグメント部材１２０の円周方向側面の間にまたがるように装着されて、２つのセグメント部材１２０が半径方向に同時に動くようにするポジショニングピン２２０とをさらに含むことができる。
【００９２】
シールプレート２１０は、２つのセグメント部材１２０の側面と２つのリングセグメント１１０の側面との間に装着されて、特にチップ間隙が大きくなる時、２つのリングセグメント１１０の間の隙間に燃焼ガスが漏れるのを防止することができる。シールプレート２１０は、高温で耐えられるステンレススチール材質からなり、摩耗および摩擦を低減するために表面処理を行ったもので製作できる。
【００９３】
シールプレート２１０は、タービンの軸方向に長く形成されて、リングセグメント１１０の側面に配置される横部と、横部から半径方向外側に延びてセグメント部材１２０の側面に配置される縦部とを含むことができる。少なくとも２つのセグメント部材１２０の側面には、シールプレート２１０の縦部が挿入される溝が形成されて縦部が装着される。２つのリングセグメント１１０の側面にも、シールプレート２１０の横部が挿入される溝が形成されて横部が装着される。
【００９４】
シールプレート２１０の円周方向の一側は一側のセグメント部材１２０に固定され、他側は非常に小さい公差をもって他側のセグメント部材１２０に挿入されて組立てられる。シールプレート２１０の幅と厚さは、熱膨張などを考慮して選定することができる。
【００９５】
ポジショニングピン２２０は、２つのセグメント部材１２０の間の側面に、シールプレート２１０の縦部の間に形成された２つの挿入溝に２つが挿入されて装着できる。ポジショニングピン２２０の一側は一側のセグメント部材１２０の挿入溝に締まり嵌め方式で挿入されて固定され、他側は他側のセグメント部材１２０の挿入溝に非常に小さい公差をもって挿入されて組立てられる。２つのポジショニングピン２２０は、２つのセグメント部材１２０の側面に両側部がまたがるように装着されることにより、２つのセグメント部材１２０が半径方向に同時に一律に動くようにすることができる。
【００９６】
本発明によれば、ガスタービンを作動する時、過渡区間では弾性復元装置によってチップ間隙を大きく設定し、定常状態ではアクチュエータを作動して複数のタービンブレードチップ間隙を最適な状態に一律に低減することにより、ガスタービンの効率を増大することができる。
【００９７】
以上、本発明の一実施例について説明したが、当該技術分野における通常の知識を有する者であれば、特許請求の範囲に記載された本発明の思想を逸脱しない範囲内で、構成要素の付加、変更、削除または追加などによって本発明を多様に修正および変更可能であり、これも本発明の権利範囲内に含まれる。
【符号の説明】
【００９８】
１０００：ガスタービン
１０１０：ハウジング
１１００：圧縮機
１１１０：ブレード
１１１２：ダブテール部
１１２０：圧縮機ロータディスク
１２００：燃焼器
１３００：タービン
１３１０：タービンステータ
１３１２：タービンケーシング
１３１３：ベーンキャリア
１３１４：タービンベーン
１３２０：タービンロータ
１３２２：タービンロータディスク
１３２４：タービンブレード
１４００：ディフューザ
１４５０：固定ナット    
１５００：トルクチューブユニット
１６００：タイロッド
１００：チップ間隙制御装置
１１０：リングセグメント
１２０：セグメント部材
１３０：アクチュエータリング
１３５：ローラベアリング
１４０：アクチュエータ
１４５：アクチュエータ棒
１５０：リンク部材
１５６：偏心部材
１６０：回転軸
１６２：ベアリングカバー
１７０：プッシャ部材
１７９：スクリューリブ部
１８０：ベアリングブラケット    
１９０：スクリューブッシュ
１９７：スクリューカム部
２００：弾性復元装置
２０２：装着軸
２０４：結合部材
２０６：スプリング装着部材
２０８：スプリング
２１０：シールプレート
２２０：ポジショニングピン
【図１】
2022003252.tif 000003
【図２】
2022003252.tif 000004
【図３】
2022003252.tif 000005
【図４】
2022003252.tif 000006
【図５】
2022003252.tif 000007
【図６】
2022003252.tif 000008
【図７】
2022003252.tif 000009
【図８】
2022003252.tif 000010
【図９】
2022003252.tif 000011
【図１０】
2022003252.tif 000012